(57)【要約】【課題】多重無線回線にてパケット欠損の少ない映像情報伝送を可能とする。【解決手段】多重無線回線７による経路にてＭＰＥＧ２で送信を行っている場合には、全ての送信パケットを伝送できず、ＩＰ対応デコーダ４−１、４−２では、受信パケットに欠損が生じ、センタ装置１０へ通知する。センタ装置１０はＩＰ対応エンコーダとＩＰ対応デコーダから通知を受け取って、パケットロスが所定以上に生じていることを検出し、ＩＰ対応エンコーダ２−１〜２−ｎに対しデータ圧縮方式をＭＰＥＧ４へ変更し数百Ｋｂｐｓから数Ｍｂｐｓ程度の送信レートにて送信するように制御を行う。【選択図】図１
2008172542.tif 000002
【特許請求の範囲】
【請求項１】
被写体を撮像するテレビカメラと、
前記テレビカメラにより得られる映像信号を少なくとも２種類のいずれかの圧縮方式・送信レートによりＩＰパケットとして送出するエンコーダと、
受信したＩＰパケットを前記少なくとも２種類の圧縮方式・送信レートに対応して伸長して映像信号を復元してモニタへ送出するデコーダと、
前記エンコーダと前記デコーダにそれぞれ接続され、少なくとも二系統の伝送路のいずれかを選択するルーティングを行うＬＡＮスイッチと、
前記エンコーダに接続されたＬＡＮスイッチと前記デコーダに接続されたＬＡＮスイッチとの間を接続する少なくとも二系統の伝送路と
を具備することを特徴とする映像伝送システム。
【請求項２】
圧縮方式として、ＭＰＥＧ２とＭＰＥＧ４とを備えることを特徴とする請求項１に記載の映像伝送システム。
【請求項３】
伝送路として光ファイバケーブルによる第１の伝送路と、該第１の伝送路より伝送容量の少ない多重無線による第２の伝送路を備え、
前記ＬＡＮスイッチは、第１の伝送路が正常であれば当該第１の伝送路を用いてＩＰパケットを送受し、第１の伝送路が異常であれば第２の伝送路を用いてＩＰパケットを送受することを特徴とする請求項１または２に記載の映像伝送システム。
【請求項４】
前記エンコーダと前記デコーダにおけるパケットロスを検出し、パケットロスの検出結果に基づき前記エンコーダと前記デコーダにおける圧縮方式と送信レートを制御する管理手段を備えることを特徴とする請求項１乃至３のいずれか１項に記載の映像伝送システム。
【発明の詳細な説明】
【技術分野】
【０００１】
この発明は、地震などの災害時に、迂回伝送路を介して映像を伝送する映像伝送システムに関するものである。
【背景技術】
【０００２】
近年においてはコストや利便性を考慮して、テレビカメラにより撮像された監視映像をＩＰネットワークを介して監視端末へ送るようにしたシステムが用いられるようになっている。このようなシステムにおいて、地震などの災害時に経路迂回する構成については、ネットワーク側において考慮されているだけであり、ネットワークを用いて映像監視を行うユーザ側が備えるものではない。
【０００３】
このため、現状のシステムにあっては、伝送するデータの圧縮効率をできる限り上げて通信帯域を効率良く利用しようとする考えに基づく構成を採用しているものが多い。例えば、特許文献１に示されている監視システムにあっては、通信回線の情報量を低減させてシステム全体の通信回線における負担軽減を図っている。
【特許文献１】特開２００４−１５６０８１号公報
【０００４】
そして、ＩＰネットワークを用いた映像伝送システムにおいては、ＩＰネットワークの障害時における迂回経路に関しても光ファイバケーブルを用いて大容量通信を行うように構成されている。ただし、防災用のＩＰネットワークでは、災害時には光ファイバケーブルが断線するという事態を想定し、最終的な迂回路としては殆どの場合に多重無線回線を採用する構成となっている。
【発明の開示】
【発明が解決しようとする課題】
【０００５】
しかしながら、光ファイバケーブルと多重無線回線とを比較すると、多重無線回線においては伝送容量が少なく、光ファイバケーブルによる場合と同程度の映像情報伝送が行えないという問題があった。
【０００６】
本発明は上記のようなＩＰネットワークを用いた映像伝送における現状に鑑みてなされたもので、その目的は伝送容量に差がある伝送路を用いており、障害発生時などに伝送路を切り換える場合にも、適切に映像情報を伝送可能な映像伝送システムを提供することである。
【課題を解決するための手段】
【０００７】
本発明に係る映像伝送システムは、被写体を撮像するテレビカメラと、前記テレビカメラにより得られる映像信号を少なくとも２種類のいずれかの圧縮方式・送信レートによりＩＰパケットとして送出するエンコーダと、受信したＩＰパケットを前記少なくとも２種類の圧縮方式・送信レートに対応して伸長して映像信号を復元してモニタへ送出するデコーダと、前記エンコーダと前記デコーダにそれぞれ接続され、少なくとも二系統の伝送路のいずれかを選択するルーティングを行うＬＡＮスイッチと、前記エンコーダに接続されたＬＡＮスイッチと前記デコーダに接続されたＬＡＮスイッチとの間を接続する少なくとも二系統の伝送路とを具備することを特徴とする。
【０００８】
本発明に係る映像伝送システムでは、圧縮方式として、ＭＰＥＧ２とＭＰＥＧ４とを備えることを特徴とする。
【０００９】
本発明に係る映像伝送システムでは、伝送路として光ファイバケーブルによる第１の伝送路と、該第１の伝送路より伝送容量の少ない多重無線による第２の伝送路を備え、前記ＬＡＮスイッチは、第１の伝送路が正常であれば当該第１の伝送路を用いてＩＰパケットを送受し、第１の伝送路が異常であれば第２の伝送路を用いてＩＰパケットを送受することを特徴とする。
【００１０】
本発明に係る映像伝送システムでは、前記エンコーダと前記デコーダにおけるパケットロスを検出し、パケットロスの検出結果に基づき前記エンコーダと前記デコーダにおける圧縮方式と送信レートを制御する管理手段を備えることを特徴とする。
【発明の効果】
【００１１】
本発明では、少なくとも２種類のいずれかの圧縮方式・送信レートによりＩＰパケットとして送出するエンコーダと、受信したＩＰパケットを前記少なくとも２種類の圧縮方式・送信レートに対応して伸長して映像信号を復元してモニタへ送出するデコーダとを備え、少なくとも二系統の伝送路のいずれかを選択するルーティングにより伝送されるので、選択された伝送路に応じて少なくとも２種類の圧縮方式・送信レートのいずれかを選択するようにでき、伝送容量が少ない伝送路が用いられる場合に対応させることが可能となる。
【００１２】
本発明では、圧縮方式として、ＭＰＥＧ２とＭＰＥＧ４とを備えるので、伝送容量に対応させていずれかの圧縮方式により圧縮した映像を伝送することが可能である。
【００１３】
本発明では、光ファイバケーブルによる第１の伝送路が正常であれば当該第１の伝送路を用いてＩＰパケットを送受し、第１の伝送路が異常であれば伝送容量の少ない多重無線による第２の伝送路を用いてＩＰパケットを送受するので、これに対応させていずれかの圧縮方式を採用することが可能である。
【００１４】
本発明では、エンコーダとデコーダにおけるパケットロスを検出し、パケットロスの検出結果に基づきエンコーダとデコーダにおける圧縮方式と送信レートを制御するので、ルーティングにより伝送容量の少ない伝送路へ切り換えが起こった場合を検出でき、これに対応する適切な圧縮方式と送信レートによる伝送が可能である。
【発明を実施するための最良の形態】
【００１５】
以下、添付図面を参照して本発明に係る映像伝送システムの実施例を説明する。各図において、同一の構成要素には、同一符号を付して重複する説明を省略する。図１には、本発明に係る映像伝送システムの実施例の構成図が示されている。このシステムでは、監視位置にテレビカメラ１−１〜１−ｎが設置されており、監視対象を撮像して映像信号（例えば、ＮＴＳＣ信号）を得る。
【００１６】
テレビカメラ１−１〜１−ｎには、ＩＰ対応エンコーダ２−１〜２−ｎが接続されている。ＩＰ対応エンコーダ２−１〜２−ｎは、テレビカメラ１−１〜１−ｎにより得られる映像信号を少なくとも２種類のいずれかの圧縮方式・送信レートによりＩＰパケットとして送出するものである。この例では、少なくとも２種類のいずれかの圧縮方式としては、ＭＰＥＧ２とＭＰＥＧ４を採用し、ＭＰＥＧ２で圧縮した場合には数Ｍｂｐｓから１０Ｍｂｐｓ程度の送信レートで送信を行い、ＭＰＥＧ４で圧縮した場合には数百Ｋｂｐｓから数Ｍｂｐｓ程度の送信レートで送信を行うように構成されている。
【００１７】
一方、監視を行う側には、ＣＲＴやＬＣＤなどにより構成されＮＴＳＣ信号による映像信号を受けて画像表示を行うモニタ３−１、３−２が設けられている。モニタの台数は一例に過ぎない。モニタ３−１、３−２には、ＩＰ対応デコーダ４−１、４−２が接続されている。ＩＰ対応デコーダ４−１、４−２は、ＩＰ対応エンコーダ２−１〜２−ｎにより送られるＩＰパケットを受信し、受信したＩＰパケットを上記少なくとも２種類の圧縮方式・送信レートに対応して伸長して映像信号を復元してモニタへ送出するものである。ここでは、少なくとも２種類の圧縮方式として、ＩＰ対応エンコーダ２−１〜２−ｎに対応してＭＰＥＧ２とＭＰＥＧ４を採用し、ＭＰＥＧ２で圧縮された数Ｍｂｐｓから１０Ｍｂｐｓ程度のレートで受信を行い、ＭＰＥＧ４で圧縮された場合には数百Ｋｂｐｓから数Ｍｂｐｓ程度のレートで受信を行うように構成されている。
【００１８】
ＩＰ対応エンコーダ２−１〜２−ｎにはＬＡＮスイッチ５Ａが接続され、ＩＰ対応デコーダ４−１、４−２にはＬＡＮスイッチ５Ｂが接続されている。ＬＡＮスイッチ５Ａ、５Ｂは、同一の構成を有し、少なくとも二系統の伝送路のいずれかを選択するルーティングを行うものである。この実施例では、ＬＡＮスイッチ５Ａ、５Ｂは、レイヤ３のスイッチであり、光ファイバケーブル６による伝送路に接続されていると共に、多重無線回線７による伝送路に対しＩＰ対応多重無線装置８Ａ、８Ｂを介して接続されており、ＩＰパケットのルーティングを行うものである。
【００１９】
ＩＰ対応多重無線装置８Ａ、８Ｂは、多重無線装置にＩＰネットワークとのインタフェースを付加する等により構成され、ＩＰパケットを多重無線回線７により送受信するものである。ＩＰネットワーク（この例では、ＬＡＮスイッチ５Ｂ）には、センタ装置１０が接続されている。センタ装置１０は、テレビカメラ１−１〜１−ｎの設置位置等の識別情報と、テレビカメラ１−１〜１−ｎとＩＰ対応エンコーダ２−１〜２−ｎとの接続関係情報、ＩＰ対応エンコーダ２−１〜２−ｎのアドレス、ＩＰ対応デコーダ４−１、４−２のアドレスなどの情報を備える。また、センタ装置１０は、ＩＰ対応エンコーダ２−１〜２−ｎがいずれのＩＰ対応デコーダへ映像を配信しているかに関する情報、ＩＰ対応デコーダ４−１、４−２がいずれのＩＰ対応エンコーダから映像を得ているかに関する情報を備えている。
【００２０】
更に図２に示すように、センタ装置１０は管理手段として、ＩＰ対応エンコーダ２−１〜２−ｎにおけるデータ送信状態の監視、また、ＩＰ対応デコーダ４−１、４−２におけるデータ受信状態の監視を、例えば多重無線回線７または他の回線を用いて行うと共に、ＩＰ対応エンコーダ２−１〜２−ｎに対しデータ圧縮方式と送信レートの変更制御を行うと共に、ＩＰ対応デコーダ４−１、４−２にデータ圧縮方式と送信レートの変更を通知する。
【００２１】
図２に示すように、ＩＰ対応エンコーダ２−１〜２−ｎは、データ送信状態（データ圧縮方式と送信レート）の通知を行うと共にセンタ装置１０からデータ圧縮方式と送信レートの変更指示を受けてデータ圧縮方式と送信レートの変更を実行する。また、ＩＰ対応デコーダ４−１、４−２は、データ受信状態（パケットの欠損率等）をセンタ装置１０へ通知すると共にセンタ装置１０からデータ圧縮方式と送信レートの変更指示を受けて受信パケットに対しデータ伸長する手法と受信レートの変更を実行する。
【００２２】
以上の通りに構成された映像伝送システムでは、通常状態（当初から）において、ＬＡＮスイッチ５Ａ、５Ｂは、光ファイバケーブル６を介してデータ伝送を行っている。そして、この通常状態において、ＩＰ対応エンコーダ２−１〜２−ｎは、映像信号をＭＰＥＧ２で圧縮を行い、数Ｍｂｐｓから１０Ｍｂｐｓ程度の送信レートで送信を行っている。ＩＰ対応デコーダ４−１、４−２は、ＭＰＥＧ２で圧縮された映像信号を伸長して元の映像信号へ戻しモニタ３−１、３−２へ送って映像を表示する。
【００２３】
上記のような映像伝送システムにおいて光ファイバケーブル６が断となる等の障害が発生すると、これをＬＡＮスイッチ５Ａ、５Ｂが検出してＩＰ対応多重無線装置８Ａ、８Ｂ及び多重無線回線７による経路への迂回を開始する。多重無線回線７による経路は、最大でも５０Ｍｂｐｓ程度の帯域であるため、ＩＰ対応エンコーダ２−１〜２−ｎが映像信号をＭＰＥＧ２で圧縮を行い、数Ｍｂｐｓから１０Ｍｂｐｓ程度の送信レートで送信を行っている場合には、全ての送信パケットを伝送できる状態ではない。これにより、ＩＰ対応デコーダ４−１、４−２では、受信パケットに欠損が生じ、センタ装置１０へ通知するデータ受信状態情報では、パケットの欠損率等が通常状態に比べて遥かに大きな値へと変化する。
【００２４】
このときセンタ装置１０は図３に示されるように動作を行う。ＩＰ対応エンコーダとＩＰ対応デコーダから通知を受け取って（Ｓ１１）、パケットロスが所定以上に生じているかを検出している（Ｓ１２）。光ファイバケーブル６が伝送路に選択されている場合には、このステップＳ１２においてＮＯへ分岐するが、多重無線回線７が迂回路として選択された場合には、ステップＳ１２においてＹＥＳへ分岐し、ＩＰ対応エンコーダ２−１〜２−ｎに対しデータ圧縮方式をＭＰＥＧ４へ変更し数百Ｋｂｐｓから数Ｍｂｐｓ程度の送信レートにて送信するように制御を行う（Ｓ１３）。また、ＩＰ対応デコーダ４−１、４−２にデータ圧縮方式をＭＰＥＧ４とし数百Ｋｂｐｓから数Ｍｂｐｓ程度の送信レートへ変更される旨を通知する（Ｓ１４）。
【００２５】
上記ステップＳ１３による変更制御を受けたＩＰ対応エンコーダ２−１〜２−ｎは、データ圧縮方式をＭＰＥＧ４とし、送信レートを数百Ｋｂｐｓから数Ｍｂｐｓ程度に低下させて映像信号の送信を実行する。これにより、最大でも５０Ｍｂｐｓ程度の帯域である多重無線回線７による経路においても、ＩＰ対応エンコーダ２−１〜２−ｎが映像信号をＭＰＥＧ４で圧縮を行い、送信レートが数百Ｋｂｐｓから数Ｍｂｐｓ程度に低下されることから、パケットロスなく映像の伝送が行われる。
【００２６】
一方、上記ステップＳ１４による通知を受けたＩＰ対応デコーダ４−１、４−２は、圧縮方式ＭＰＥＧ４と送信レート数百Ｋｂｐｓから数Ｍｂｐｓ程度に対応してパケットの受信と映像信号の伸長を行って、もとの映像信号をモニタ３−１、３−２へ送って映像を表示する。斯して、通常に使用されている伝送路と伝送容量に差がある迂回時の伝送路へ切り換えた場合にも、適切に映像情報の伝送が可能となるものである。なお、圧縮方式は一例に過ぎず、また、３以上の圧縮方式・送信レートを用意して対応しても良い。また伝送路の系統を三系統以上としても良い。
【００２７】
また、光ファイバケーブル６が復旧した場合には、例えば、オペレータがセンタ装置１０へ指示入力を行い、これに基づきセンタ装置１０からＩＰ対応エンコーダ２−１〜２−ｎとＩＰ対応デコーダ４−１、４−２へ、ＭＰＥＧ２で圧縮を行い、数Ｍｂｐｓから１０Ｍｂｐｓ程度の送信レートで送信を行う指示を送出するようにする。また、ＩＰ対応デコーダ４−１、４−２がＩＰ対応エンコーダ２−１〜２−ｎから映像情報を得るようにしたが、ＩＰ対応エンコーダ２−１〜２−ｎから少なくとも二系統の伝送路を介してデータベースサーバに映像情報を送るようにし、ＩＰ対応デコーダ４−１、４−２がデータベースサーバにアクセスして所望のテレビカメラに対応する映像情報を得るように構成しても良い。
【図面の簡単な説明】
【００２８】
【図１】本発明に係る映像伝送システムの実施例を示すブロック図。
【図２】本発明に係る映像伝送システムの実施例の要部に関する機能を説明するための図。
【図３】本発明に係る映像伝送システムにおけるセンタ装置の動作を説明するためのフローチャート。
【符号の説明】
【００２９】
１−１〜１−n  テレビカメラ
２−１〜２−n  ＩＰ対応エンコーダ
３−１、３−２  モニタ
４−１、４−２  ＩＰ対応でコーダ
５Ａ、５Ｂ  ＬＡＮスイッチ
６  光ファイバケーブル
７  多重無線回線
８Ａ、８Ｂ  ＩＰ対応多重無線装置
１０  センタ装置
【図１】
2008172542.tif 000003
【図２】
2008172542.tif 000004
【図３】
2008172542.tif 000005